(57)【要約】【課題】電気コネクタ内での電気的接続不良が生じることを抑制できる電源コードを提供する。【解決手段】キャプタイヤコード２の端に設けた雌コネクタ３が、絶縁電線１１と、接触子１４と、電気絶縁材料製のコネクタボディ１７と、ストッパ部材１５と、を具備する。キャプタイヤコード２のシース１２の端から突出した絶縁電線１１は、その絶縁層の端から突出した導電線１１ａを有する。この導電線１１ａに接触子１４を接続する。ストッパ部材１５を、接触子１４と導電線１１ａとの接続部よりキャプタイヤコード２側でこのコード２の絶縁された部位の外周に固定する。コネクタボディ１７を、接触子１４の少なくとも一部、キャプタイヤコード２から突出した絶縁電線１１、ストッパ部材１５、及びキャプタイヤコード２の端部を埋設して一体成形している。【選択図】      図２
2006244775.tif 000002
【特許請求の範囲】
【請求項１】
キャプタイヤコードの端に電気コネクタを設けた電源コードであって、
前記電気コネクタが、
前記キャプタイヤコードのシースの端から突出した絶縁電線と、
この絶縁電線の絶縁層の端から突出した導電線に接続された接触子と、
前記接触子と前記導電線との接続部より前記キャプタイヤコード側で前記キャプタイヤコードの絶縁された部位の外周に固定されたストッパ部材と、
前記接触子の少なくとも一部、前記キャプタイヤコードから突出した絶縁電線、前記ストッパ部材、及び前記キャプタイヤコードの端部を埋設して一体成形された電気絶縁材料製のコネクタボディと、
を具備した電源コード。
【請求項２】
前記電気コネクタを使用位置から動かないように保持するために用いられる係合部を前記コネクタボディの外周部に設け、この係合部と前記接続部との間に位置して前記ストッパ部材を前記コネクタボディに埋め込んだ請求項１に記載の電源コード。
【請求項３】
前記ストッパ部材を前記シースの端部外周に固定した請求項１又は２に記載の電源コード。
【請求項４】
前記キャプタイヤコードのシースの端から突出した複数の絶縁電線を交差させ、この交差部を前記コネクタボディに埋め込まれた結束部材で結束した請求項３に記載の電源コード。
【発明の詳細な説明】
【技術分野】
【０００１】
本発明は、電気掃除機の掃除機本体などに接続して使用される電源コードに関する。
【背景技術】
【０００２】
従来、電気コネクタとして例えばプラグ部をコードの端部に設けた電源コードが提供されている。そのプラグ部は、コードから突出された絶縁電線の先端から更に突出された芯線をプラグ刃（接触子）の一端部にかしめ止めし、このかしめ止め部及びプラグ刃の一部を成形型内にセットして、この成形型に硬質樹脂を注入して第１の被覆体を成形した後、この被覆体及びコードの端部を他の成形型内にセットして、この成形型に第１の被覆体より柔らかい樹脂を注入して第２の被覆体を成形することによって、この第２の被覆体に前記かしめ止め部、プラグ刃の一部、及びコードの端部を埋め込んで形成されている（例えば特許文献１参照。）。
【特許文献１】特開平7-312253号公報（段落0011−0023、図１−図８）
【発明の開示】
【発明が解決しようとする課題】
【０００３】
電源コードはそのプラグ部を図示しないコンセント等に差込み接続して使用される。そして、この使用時にコードに大きな張力が加えられることがある。特許文献１のようにかしめ止め部等が硬質樹脂で被覆されているといえども、コンセント等との接続の強度が強い場合、又は、接続が不用意に外れないように何らかの手段でプラグ部が拘束された場合等には、コードに加えられた大きな張力がかしめ止め部に波及することを完全に妨げることはできない。
【０００４】
そして、特許文献１の電源コードでは、以上のようにかしめ止め部に張力が波及することを抑制する格別の工夫がない。このため、前記張力の波及によってプラグ部内での電気的接続不良、例えばかしめ止め部付近で絶縁電線の芯線が切断される恐れが考えられており、こうしたことが生じないようにする工夫が求められている。
【０００５】
本発明の目的は、電気コネクタ内での電気的接続不良が生じることを抑制できる電源コードを提供することにある。
【課題を解決するための手段】
【０００６】
前記課題を解決するために、本発明は、キャプタイヤコードの端に設けた電気コネクタを、キャプタイヤコードのシースの端から突出した絶縁電線の絶縁層の端から突出した導電線に接触子を接続し、この接触子と導電線との接続部よりキャプタイヤコード側でキャプタイヤコードの絶縁された部位の外周にストッパ部材を固定し、接触子の少なくとも一部、キャプタイヤコードから突出した絶縁電線、ストッパ部材、及びキャプタイヤコードの端部を埋設してコネクタボディを一体成形した構成としている。
【発明の効果】
【０００７】
本発明によれば、使用時にキャプタイヤコードに加えられる張力が、接触子と絶縁電線の導電線との接続部などに波及することを、コネクタボディに埋め込まれたストッパ部材で抑制できるので、電気コネクタ内での電気的接続不良が生じる恐れがないようにした電源コードを提供できる。
【発明を実施するための最良の形態】
【０００８】
図１及び図２を参照して本発明の第１実施形態を説明する。
【０００９】
図１中符号１は電源コードを示している。この電源コード１は、キャプタイヤコード２の一端に雌型の電気コネクタ（以下雌コネクタと称する。）３を設け、他端に雄型の電気コネクタ（以下雄コネクタと称する。）４を設けてなり、延長コード等としても使用可能である。
【００１０】
キャプタイヤコード２とは、複数本例えば２本の絶縁電線１１（図２参照）をより合せ、外側を強靭な合成ゴム等からなるシース１２で被覆した被覆電線を指している。各絶縁電線１１は、銅線などからなる導電線１１ａの外周を絶縁層１１ｂで被覆してなる。これら絶縁電線１１の端部は、図２で代表して示すようにシース１２から突出されていとともに、交差されている。
【００１１】
図２に示すように雌コネクタ３は、シース１２から突出した絶縁電線１１の端部と、この絶縁電線１１の数に対応して用意された例えば２本の接触子１４と、ストッパ部材１５と、結束部材１６と、電気絶縁材料製のコネクタボディ１７と、を備えて形成されている。
【００１２】
詳しくは、接触子１４は金属製のソケット型接触子である。接触子１４の長手方向一端部は電線接続部１４ａをなしている。電線接続部１４ａは例えばかしめ方式によって電線と接続する構成であり、一対（一方のみ図示）のかしめ片１４ｂを有している。この電線接続部１４ａに、そのかしめ片１４ｂを塑性変形させることによって絶縁電線１１の導電線１１ａの端末部がかしめ止めされて、機械的かつ電気的に接続されている。なお、電線接続部１４ａと導電線１１ａとの接続は、溶接止めでも、半田付け等でもよく、或いはこれらとかしめ止めとを併用しても良い。
【００１３】
ストッパ部材１５は、剛性が高い材料例えば金属等の硬質リングからなる。このストッパ部材１５は、電線接続部１４ａと導電線１１ａとが接続された接続部を基準に、これよりキャプタイヤコード２側で、このコード２の絶縁された部位にかしめ止められている。本実施形態では、ストッパ部材１５を、キャプタイヤコード２のシース１２の端部外周に嵌合させてかしめて潰すことによって、キャプタイヤコード２の端部外周に固定している。
【００１４】
結束部材１６も、金属製とすることが好ましいが、合成樹脂製としても良い。この結束部材１６は、２本の絶縁電線１１の交差部を結束して設けられている。したがって、この結束部材１６も電線接続部１４ａと導電線１１ａとが接続された接続部を基準に、これよりキャプタイヤコード２側に配置されている。
【００１５】
コネクタボディ１７をなす電気絶縁材料には合成樹脂、例えばＰＶＣ（軟質塩化ビニル）を好適に用いることができる。このコネクタボディ１７は、一対の接触子１４、シース１２から突出されて接触子１４に接続された絶縁電線１１の端部、ストッパ部材１５、結束部材１６、及びキャプタイヤコード２の端部を覆って成形されている。このコネクタボディ１７の成形はインサート成形によって行われ、それにより、一対の接触子１４、シース１２から突出されて接触子１４に接続された絶縁電線１１の端部、ストッパ部材１５、結束部材１６、及びキャプタイヤコード２の端部が、コネクタボディ１７内に埋め込まれている。
【００１６】
このコネクタボディ１７の一端面には接触子１４に挿入して接続される図示しないピンを受け入れる２個の接続口１７ａが開けられている。コネクタボディ１７の他端側部位はキャプタイヤコード２の端部外周を覆ったコードプロテクター部１７ｂをなしている。このコードプロテクター部１７ｂは可撓変形ができる程度の薄厚に形成されていて、それにより、キャプタイヤコード２の端部がある程度曲がることを許容している。
【００１７】
接続口１７ａとコードプロテクター部１７ｂと間に位置してコネクタボディ１７の外周部には、係合部１８が形成されている。係合部１８は例えばコネクタボディ１７の外周に開放する環状の溝からなる。係合部１８は電線接続部１４ａと導電線１１ａとが接続された接続部を基準に、これよりキャプタイヤコード２側に寄せて設けられている。したがって、結束部材１６は係合部１８と前記接続部との間に位置してコネクタボディ１７に一体に埋め込まれている。
【００１８】
この係合部１８には図２中二点差線で示す電気機器１９の保持部１９ａが有したＵ字溝１９ｂの縁が嵌合して引っ掛かる。電気機器１９としては例えば電気掃除機本体を挙げることができる。この掃除機本体が有する図示しない給電ピンに雌コネクタ３を差し込み接続することに伴って、Ｕ字溝１９ｂの縁と係合部１８とを嵌合させて、前記給電ピンに雌コネクタ３が接続された状態を保持できる。言い換えれば、雌コネクタ３をその使用位置から動かないように保持部１９ａで保持することができ、それにより、電気掃除機本体などの電気機器１９への給電を可能としている。通常、電気機器１９はそれに既述のように電源コード１との接続状態を保持した形態、つまり、電源コード付きの電気機器として形態を呈するものである。
【００１９】
雄コネクタ４は、その接触子２１に図示しないコンセント等に差込み接続されるプラグ刃を用いている他は、雌コネクタ３と同様構成であるが、そのコネクタボディ２２には係合部は設けられていないとともに、プラグ刃からなる複数の接触子２１の刃先側部位はコネクタボディ２２の先端面から突出されている。キャプタイヤコード２の絶縁電線と接触子２１とのコネクタボディ２２内での接続は、雌コネクタ３で採用した構成と同じであるので、図示及び説明を省略する。
【００２０】
前記構成の電源コード１は、例えば一端部の雌コネクタ３を既述のように電気機器１９に接続し保持された状態で、他端部の雄コネクタ４をコンセント等に接続することにより、電気機器１９への給電をなして使用される。
【００２１】
この使用時に、例えば電気機器１９の移動に伴って電源コード１が家具に引っ掛かることがあり、或いは電源コード１に使用者の足が引っ掛かることがある。こうした場合、電源コード１には強い張力が加えられる。ところで、既述のように雌コネクタ３のコネクタボディ１７は保持部１９ａによって動かないように保持されているので、前記張力はキャプタイヤコード２に集中して作用する。
【００２２】
この場合、キャプタイヤコード２のシース１２の外周に固定した硬質なストッパ部材１５がコネクタボディ１７にこのボディ１７の一体成形に伴って埋め込まれて引っ掛かっているので、この引っ掛かり部分によって前記張力を受けることができる。これにより、電線接続部１４ａと導電線１１ａとが接続された接続部又はこの近傍の絶縁電線１１の端部に前記張力が波及することが抑制されるので、前記接続部又は絶縁電線１１で断線しないようにできる。
【００２３】
また、既述のようにストッパ部材１５は、一体成形（インサート成形）によりコネクタボディ１７に埋め込まれていることにより、ストッパ部材１５とコネクタボディ１７との間は間隙が生じることがなく、両者は固着される。このため、ストッパ部材１５がコネクタボディ１７内を移動し難くでき、より確実に前記接続部又は絶縁電線１１で断線しないようにできる。
【００２４】
しかも、本実施形態では、各絶縁電線１１を交差させ、この交差部に設けた結束部材１６も、コネクタボディ１７に埋め込まれて引っ掛かっていて、この引っ掛かり部分によっても前記張力を受けることができる。その上、この引っ掛かり部分は、係合部１８を基準としてこれよりも接触子１４側に寄せて設けてある。そのため、張力が作用して引っ掛かり部分に力が加わったときに、係合部１８に嵌合する保持部１９ａが、この保持部１９ａの内側に位置するコネクタボディ１７部分の変形を抑える。それにより、前記張力の作用により前記引っ掛かり部分が接続部に対して相対的に移動してしまうことを抑制できるので、更に確実に前記接続部又は絶縁電線１１で断線しないようにできる。
【００２５】
なお、キャプタイヤコード２に掛かった張力は雄コネクタ４にも作用するが、この雄コネクタ４は雌コネクタ３と同様構成であるので、雄コネクタ４がコンセントから抜けない状態では、コネクタボディ２２に埋め込まれた図示しないストッパ部材及び結束部材によって既述のように張力を受けることができる。したがって、雄コネクタ４でも断線が発生しないようにできる。
【００２６】
図３は本発明の第２実施形態を示している。第２実施形態は基本的には第１実施形態と同じであるので、第１実施形態と同様な構成については同じ符号を付して説明を省略し、以下第１実施形態とは異なる事項を説明する。
【００２７】
第２実施形態では、コネクタボディ１７の長手方向中間部外周に形成した係合部１８と、接触子１４及び導電線１１ａが接続された接続部との間に、ストッパ部材１５及び結束部材１６を位置させて、これらをコネクタボディ１７に埋め込んでいる。以上説明した以外の事項は、図３に示されない構成を含めて第１実施形態と同じある。
【００２８】
したがって、この第２実施形態の電源コード１においても、キャプタイヤコード２の端部外周に固定した硬質なストッパ部材１５がコネクタボディ１７にこのボディ１７の一体成形に伴って埋め込まれて引っ掛かっているので、この引っ掛かり部分によって、電源コード１の使用時にキャプタイヤコード２に掛かる張力を受けることができる。これにより、電線接続部１４ａと導電線１１ａとが接続された接続部に前記張力が波及することが抑制されるので、前記接続部で断線しないようにできる。
【００２９】
また、ストッパ部材１５は、一体成形（インサート成形）によりコネクタボディ１７に埋め込まれていることにより、ストッパ部材１５とコネクタボディ１７との間は間隙が生じることがなく、両者は強固に固着される。このため、ストッパ部材１５がコネクタボディ１７内を移動し難くでき、より確実に前記接続部又は絶縁電線１１で断線しないようにできる。
【００３０】
しかも、この引っ掛かりをなすストッパ部材１５は、前記接続部と係合部１８との間に位置させてコネクタボディ１７に埋設され、言い換えれば、ストッパ部材１５は係合部１８を基準としてこれよりも接触子１４側に寄せてコネクタボディ１７に埋設されている。このため、張力が作用して引っ掛かり部分に力が加わったときに、係合部１８に嵌合する保持部１９ａが、この保持部１９ａの内側に位置するコネクタボディ１７部分の変形を抑える。これにより、前記張力の作用により前記引っ掛かり部分が接続部に対して相対的に移動してしまうことを抑制できるので、更に確実に前記接続部又は絶縁電線１１で断線しないようにできる。したがって、前記張力を支持するストッパ部材１５機能が低下することがなく、前記接続部又は絶縁電線１１での断線を防止する信頼性をより向上できる。
【００３１】
図４は本発明の第３実施形態を示している。第３実施形態は基本的には第１実施形態と同じであるので、第１実施形態と同様な構成については同じ符号を付して説明を省略し、以下第１実施形態とは異なる事項を説明する。
【００３２】
第３実施形態では、シース１２の端から突出された２本の絶縁電線１１の端部は、交差されることなく、しかも、それらの間隔が次第に大きくなるように互いに逆向きに傾斜して突出され、これら導電線１１ａの夫々が接触子１４に個別にかしめ止めされている。
【００３３】
各絶縁電線１１の端部、詳しくは絶縁層１１ｂで覆われた部位の外周にはストッパ部材１５が個別に固定されている。これらのストッパ部材１５は、リング状であり、絶縁層１１ｂの外側に嵌合した状態でかしめて潰すことによって、絶縁電線１１の端部に固定されている。これらのストッパ部材１５は互いに離間している。又、第１実施形態で説明した結束部材は用いられていない。
【００３４】
コネクタボディ１７は、コードプロテクター１７ｂの根元に一体に連続する肩部を有しており、この肩部が係合部１８として用いられるようになっている。そして、係合部１８に対応する位置においてストッパ部材１５はコネクタボディ１７に埋め込まれている。このため、係合部１８と、電線接続部１４ａ及び導電線１１ａが接続された接続部との間に位置して、ストッパ部材１５がコネクタボディ１７に埋設されている。以上説明した以外の事項は、図４に示されない構成を含めて第１実施形態と同じある。
【００３５】
以上のようにキャプタイヤコード２の端部に突出した絶縁電線１１の絶縁層１１ｂの外周に固定した硬質なストッパ部材１５がコネクタボディ１７に埋め込まれて引っ掛かっているので、この引っ掛かり部分によって、電源コード１の使用時にキャプタイヤコード２に掛かる張力を受けることができる。これにより、電線接続部１４ａと導電線１１ａとの接続された接続部に前記張力が波及することが抑制されるので、前記接続部で断線しないようにできる。
【００３６】
また、ストッパ部材１５は、一体成形（インサート成形）によりコネクタボディ１７に埋め込まれていることにより、ストッパ部材１５とコネクタボディ１７との間は間隙が生じることがなく、両者は強固に固着される。このため、ストッパ部材１５がコネクタボディ１７内を移動し難くでき、より確実に前記接続部又は絶縁電線１１で断線しないようにできる。
【００３７】
しかも、張力が作用して引っ掛かり部分に力が加わったときに、係合部１８に嵌合する保持部１９ａが、この保持部１９ａの内側に位置するコネクタボディ１７部分の変形を抑える。これにより、前記張力の作用により前記引っ掛かり部分が接続部に対して相対的に移動してしまうことを抑制できるので、更に確実に前記接続部又は絶縁電線１１で断線しないようにできる。前記張力を支持するストッパ部材１５機能が低下することがなく、前記接続部又は絶縁電線１１での断線を防止する信頼性をより向上できる。
【図面の簡単な説明】
【００３８】
【図１】本発明の第１実施形態に係る電源コードを一部省略して示す平面図。
【図２】図１の電源コードの雌側電気コネクタを示す断面図。
【図３】本発明の第２実施形態に係る電源コードの雌側電気コネクタを示す断面図。
【図４】本発明の第３実施形態に係る電源コードの雌側電気コネクタを示す断面図。
【符号の説明】
【００３９】
１…電源コード、２…キャプタイヤコード、３…雌コネクタ（電気コネクタ）、４…雄コネクタ（電気コネクタ）、１１…絶縁電線、１２…シース、１１ａ…導電線、１１ｂ…絶縁層、１４…接触子、１５…ストッパ部材、１６…結束部材、１７…コネクタボディ、１８…係合部、１９…電気機器、１９ａ…保持部
【図１】
2006244775.tif 000003
【図２】
2006244775.tif 000004
【図３】
2006244775.tif 000005
【図４】
2006244775.tif 000006